(57)【要約】【課題】中間電線の影響を排除すること。【解決手段】フィルタ回路１０は、ノイズ成分を低減させるノイズ低減素子１１と、ノイズ低減素子の第１接続部１１ａ及び第１電線ＷＥ１の中間接続部ＷＥａ１に電気接続される第１回路接続部材１２と、ノイズ低減素子の第２接続部１１ｂ及び第２電線ＷＥ２の中間接続部ＷＥａ２に電気接続される導電性の第２回路接続部材１３と、が併走状態の第１電線及び第２電線の間で第１電線及び第２電線の配列方向に沿って配置されたものであり、筐体２０は、第１電線及び第２電線を配列方向で挟み込んで押圧する第１押圧体２３と第２押圧体２４とが設けられたものであり、その配列方向に沿って嵌合される第１筐体部材２１と第２筐体部材２２とを備え、第１筐体部材に第１押圧体を設け、第２筐体部材に第２押圧体を設けること。【選択図】図３
2020048075.tif 000002
【特許請求の範囲】
【請求項１】
併走させた第１電線及び第２電線の間に介装させるフィルタ回路と、
前記フィルタ回路並びに前記第１電線及び前記第２電線を収容する筐体と、
を備え、
前記フィルタ回路は、ノイズ成分を低減させるノイズ低減素子と、前記ノイズ低減素子の第１接続部及び前記第１電線の芯線の中間接続部に電気接続される導電性の第１回路接続部材と、前記ノイズ低減素子の第２接続部及び前記第２電線の芯線の中間接続部に電気接続される導電性の第２回路接続部材と、が前記第１電線及び前記第２電線の間で前記第１電線及び前記第２電線の配列方向に沿って配置されたものであり、
前記第１回路接続部材は、前記ノイズ低減素子の前記第１接続部に対して物理的且つ電気的に接続される第１素子側接続部と、前記第１電線の前記芯線の前記中間接続部に対して間接的又は直接的に電気接続される第１電線側接続部と、を備え、
前記第２回路接続部材は、前記ノイズ低減素子の前記第２接続部に対して物理的且つ電気的に接続される第２素子側接続部と、前記第２電線の前記芯線の前記中間接続部に対して間接的又は直接的に電気接続される第２電線側接続部と、を備え、
前記筐体は、前記フィルタ回路と前記第１電線と前記第２電線とが設置される第１筐体部材と、前記配列方向に沿って前記第１筐体部材に嵌合される第２筐体部材と、を備え、
前記第１筐体部材は、前記第２筐体部材に対する嵌合完了状態のときに、前記配列方向で前記第１電線及び前記第２電線のそれぞれの前記芯線の前記中間接続部の内の一方を間接的又は直接的に前記ノイズ低減素子に向けて押圧する第１押圧体を有し、
前記第２筐体部材は、前記第１筐体部材に対する嵌合完了状態のときに、前記配列方向で前記第１電線及び前記第２電線のそれぞれの前記芯線の前記中間接続部の内の他方を間接的又は直接的に前記ノイズ低減素子に向けて押圧する第２押圧体を有することを特徴としたノイズフィルタ。
【請求項２】
前記第１押圧体と前記第２押圧体は、前記嵌合完了状態のときに前記配列方向で対向配置され、それぞれの前記配列方向の押圧力で前記第１回路接続部材と前記第２回路接続部材との間に前記ノイズ低減素子を挟持させるものであり、
前記ノイズ低減素子の前記第１接続部と前記第１素子側接続部は、前記ノイズ低減素子が挟持されているときに物理的且つ電気的に接続されるものとして形成し、
前記ノイズ低減素子の前記第２接続部と前記第２素子側接続部は、前記ノイズ低減素子が挟持されているときに物理的且つ電気的に接続されるものとして形成することを特徴とした請求項１に記載のノイズフィルタ。
【請求項３】
前記第１電線側接続部は、前記第１押圧体と前記第２押圧体のそれぞれの前記配列方向の押圧力によって、前記配列方向で前記第１電線の前記芯線の前記中間接続部に対して間接的又は直接的に電気接続されるものとして形成し、
前記第２電線側接続部は、前記第１押圧体と前記第２押圧体のそれぞれの前記配列方向の押圧力によって、前記配列方向で前記第２電線の前記芯線の前記中間接続部に対して間接的又は直接的に電気接続されるものとして形成することを特徴とした請求項１又は２に記載のノイズフィルタ。
【請求項４】
前記フィルタ回路は、前記第１電線の前記芯線の前記中間接続部に予め組み付けて、内方側が前記第１電線の前記芯線の前記中間接続部に対して物理的且つ電気的に接続された筒状の導電性の第１電線接続部材と、前記第２電線の前記芯線の前記中間接続部に予め組み付けて、内方側が前記第２電線の前記芯線の前記中間接続部に対して物理的且つ電気的に接続された筒状の導電性の第２電線接続部材と、を備え、
前記第１回路接続部材は、前記嵌合完了状態のときに前記第１電線接続部材の筒軸方向における両端を前記筒軸方向で挟み込む２つの電線側係止突起を有し、
前記第２回路接続部材は、前記嵌合完了状態のときに前記第２電線接続部材の筒軸方向における両端を前記筒軸方向で挟み込む２つの電線側係止突起を有することを特徴とした請求項１，２又は３に記載のノイズフィルタ。
【請求項５】
前記第１回路接続部材は、前記第１電線側接続部を前記第１電線の前記芯線の前記中間接続部に予め組み付けて、前記第１電線の前記芯線の前記中間接続部に対して物理的且つ電気的に接続し、
前記第２回路接続部材は、前記第２電線側接続部を前記第２電線の前記芯線の前記中間接続部に予め組み付けて、前記第２電線の前記芯線の前記中間接続部に対して物理的且つ電気的に接続することを特徴とした請求項１又は２に記載のノイズフィルタ。
【請求項６】
前記第１回路接続部材は、前記嵌合完了状態のときに前記ノイズ低減素子を前記第１電線及び前記第２電線の軸線方向で挟み込む２つの素子側係止突起を有し、
前記第２回路接続部材は、前記嵌合完了状態のときに前記ノイズ低減素子を前記第１電線及び前記第２電線の軸線方向で挟み込む２つの素子側係止突起を有することを特徴とした請求項１から５の内の何れか１つに記載のノイズフィルタ。
【請求項７】
第１電線及び第２電線を含む幹線と、
ノイズ成分を低減させるノイズフィルタと、
を備え、
前記ノイズフィルタは、併走させた前記第１電線及び前記第２電線の間に介装させるフィルタ回路と、前記フィルタ回路並びに前記第１電線及び前記第２電線を収容する筐体と、を備え、
前記フィルタ回路は、ノイズ成分を低減させるノイズ低減素子と、前記ノイズ低減素子の第１接続部及び前記第１電線の芯線の中間接続部に電気接続される導電性の第１回路接続部材と、前記ノイズ低減素子の第２接続部及び前記第２電線の芯線の中間接続部に電気接続される導電性の第２回路接続部材と、が前記第１電線及び前記第２電線の間で前記第１電線及び前記第２電線の配列方向に沿って配置されたものであり、
前記第１回路接続部材は、前記ノイズ低減素子の前記第１接続部に対して物理的且つ電気的に接続される第１素子側接続部と、前記第１電線の前記芯線の前記中間接続部に対して間接的又は直接的に電気接続される第１電線側接続部と、を備え、
前記第２回路接続部材は、前記ノイズ低減素子の前記第２接続部に対して物理的且つ電気的に接続される第２素子側接続部と、前記第２電線の前記芯線の前記中間接続部に対して間接的又は直接的に電気接続される第２電線側接続部と、を備え、
前記筐体は、前記フィルタ回路と前記第１電線と前記第２電線とが設置される第１筐体部材と、前記配列方向に沿って前記第１筐体部材に嵌合される第２筐体部材と、を備え、
前記第１筐体部材は、前記第２筐体部材に対する嵌合完了状態のときに、前記配列方向で前記第１電線及び前記第２電線のそれぞれの前記芯線の前記中間接続部の内の一方を間接的又は直接的に前記ノイズ低減素子に向けて押圧する第１押圧体を有し、
前記第２筐体部材は、前記第１筐体部材に対する嵌合完了状態のときに、前記配列方向で前記第１電線及び前記第２電線のそれぞれの前記芯線の前記中間接続部の内の他方を間接的又は直接的に前記ノイズ低減素子に向けて押圧する第２押圧体を有することを特徴としたワイヤハーネス。
【発明の詳細な説明】
【技術分野】
【０００１】
本発明は、ノイズフィルタ及びワイヤハーネスに関する。
【背景技術】
【０００２】
従来、電線に乗った電気的なノイズを低減させるべく、そのノイズ低減対象電線にノイズフィルタを介装させる、という技術が知られている。そのノイズフィルタは、コンデンサ等のノイズ低減素子が設けられたフィルタ回路を備えており、そのフィルタ回路をノイズ低減対象電線とアース端子との間に介在させている。この種のノイズフィルタについては、例えば、下記の特許文献１及び２に開示されている。
【先行技術文献】
【特許文献】
【０００３】
【特許文献１】特開２００６−１０００６１号公報
【特許文献２】特開２０１２−０３９２０１号公報
【発明の概要】
【発明が解決しようとする課題】
【０００４】
ところで、従来のノイズフィルタは、ノイズ低減対象電線とフィルタ回路との間を別の中間電線で繋いでいる。例えば、上記特許文献１のノイズフィルタは、幹線のノイズ低減対象電線から分岐させた２本の分岐電線に対してフィルタ回路を電気的に接続して、そのノイズ低減対象電線に乗っているノイズ成分を低減させている。このため、従来のノイズフィルタは、その分岐電線などのような中間電線に乗ってしまうノイズ成分をも考慮に入れて、フィルタ回路特性（共振点やノイズ低減性能等）の調整を行う必要がある。
【０００５】
そこで、本発明は、中間電線の影響を受けることのないノイズフィルタ及びワイヤハーネスを提供することを、その目的とする。
【課題を解決するための手段】
【０００６】
上記目的を達成する為、本発明に係るノイズフィルタは、併走させた第１電線及び第２電線の間に介装させるフィルタ回路と、前記フィルタ回路並びに前記第１電線及び前記第２電線を収容する筐体と、を備え、前記フィルタ回路は、ノイズ成分を低減させるノイズ低減素子と、前記ノイズ低減素子の第１接続部及び前記第１電線の芯線の中間接続部に電気接続される導電性の第１回路接続部材と、前記ノイズ低減素子の第２接続部及び前記第２電線の芯線の中間接続部に電気接続される導電性の第２回路接続部材と、が前記第１電線及び前記第２電線の間で前記第１電線及び前記第２電線の配列方向に沿って配置されたものであり、前記第１回路接続部材は、前記ノイズ低減素子の前記第１接続部に対して物理的且つ電気的に接続される第１素子側接続部と、前記第１電線の前記芯線の前記中間接続部に対して間接的又は直接的に電気接続される第１電線側接続部と、を備え、前記第２回路接続部材は、前記ノイズ低減素子の前記第２接続部に対して物理的且つ電気的に接続される第２素子側接続部と、前記第２電線の前記芯線の前記中間接続部に対して間接的又は直接的に電気接続される第２電線側接続部と、を備え、前記筐体は、前記フィルタ回路と前記第１電線と前記第２電線とが設置される第１筐体部材と、前記配列方向に沿って前記第１筐体部材に嵌合される第２筐体部材と、を備え、前記第１筐体部材は、前記第２筐体部材に対する嵌合完了状態のときに、前記配列方向で前記第１電線及び前記第２電線のそれぞれの前記芯線の前記中間接続部の内の一方を間接的又は直接的に前記ノイズ低減素子に向けて押圧する第１押圧体を有し、前記第２筐体部材は、前記第１筐体部材に対する嵌合完了状態のときに、前記配列方向で前記第１電線及び前記第２電線のそれぞれの前記芯線の前記中間接続部の内の他方を間接的又は直接的に前記ノイズ低減素子に向けて押圧する第２押圧体を有することを特徴としている。
【０００７】
ここで、前記第１押圧体と前記第２押圧体は、前記嵌合完了状態のときに前記配列方向で対向配置され、それぞれの前記配列方向の押圧力で前記第１回路接続部材と前記第２回路接続部材との間に前記ノイズ低減素子を挟持させるものであり、前記ノイズ低減素子の前記第１接続部と前記第１素子側接続部は、前記ノイズ低減素子が挟持されているときに物理的且つ電気的に接続されるものとして形成し、前記ノイズ低減素子の前記第２接続部と前記第２素子側接続部は、前記ノイズ低減素子が挟持されているときに物理的且つ電気的に接続されるものとして形成することが望ましい。
【０００８】
また、前記第１電線側接続部は、前記第１押圧体と前記第２押圧体のそれぞれの前記配列方向の押圧力によって、前記配列方向で前記第１電線の前記芯線の前記中間接続部に対して間接的又は直接的に電気接続されるものとして形成し、前記第２電線側接続部は、前記第１押圧体と前記第２押圧体のそれぞれの前記配列方向の押圧力によって、前記配列方向で前記第２電線の前記芯線の前記中間接続部に対して間接的又は直接的に電気接続されるものとして形成することが望ましい。
【０００９】
また、前記フィルタ回路は、前記第１電線の前記芯線の前記中間接続部に予め組み付けて、内方側が前記第１電線の前記芯線の前記中間接続部に対して物理的且つ電気的に接続された筒状の導電性の第１電線接続部材と、前記第２電線の前記芯線の前記中間接続部に予め組み付けて、内方側が前記第２電線の前記芯線の前記中間接続部に対して物理的且つ電気的に接続された筒状の導電性の第２電線接続部材と、を備え、前記第１回路接続部材は、前記嵌合完了状態のときに前記第１電線接続部材の筒軸方向における両端を前記筒軸方向で挟み込む２つの電線側係止突起を有し、前記第２回路接続部材は、前記嵌合完了状態のときに前記第２電線接続部材の筒軸方向における両端を前記筒軸方向で挟み込む２つの電線側係止突起を有することが望ましい。
【００１０】
また、前記第１回路接続部材は、前記第１電線側接続部を前記第１電線の前記芯線の前記中間接続部に予め組み付けて、前記第１電線の前記芯線の前記中間接続部に対して物理的且つ電気的に接続し、前記第２回路接続部材は、前記第２電線側接続部を前記第２電線の前記芯線の前記中間接続部に予め組み付けて、前記第２電線の前記芯線の前記中間接続部に対して物理的且つ電気的に接続することが望ましい。
【００１１】
また、前記第１回路接続部材は、前記嵌合完了状態のときに前記ノイズ低減素子を前記第１電線及び前記第２電線の軸線方向で挟み込む２つの素子側係止突起を有し、前記第２回路接続部材は、前記嵌合完了状態のときに前記ノイズ低減素子を前記第１電線及び前記第２電線の軸線方向で挟み込む２つの素子側係止突起を有することが望ましい。
【００１２】
また、上記目的を達成する為、本発明に係るワイヤハーネスは、第１電線及び第２電線を含む幹線と、ノイズ成分を低減させるノイズフィルタと、を備え、前記ノイズフィルタは、併走させた前記第１電線及び前記第２電線の間に介装させるフィルタ回路と、前記フィルタ回路並びに前記第１電線及び前記第２電線を収容する筐体と、を備え、前記フィルタ回路は、ノイズ成分を低減させるノイズ低減素子と、前記ノイズ低減素子の第１接続部及び前記第１電線の芯線の中間接続部に電気接続される導電性の第１回路接続部材と、前記ノイズ低減素子の第２接続部及び前記第２電線の芯線の中間接続部に電気接続される導電性の第２回路接続部材と、が前記第１電線及び前記第２電線の間で前記第１電線及び前記第２電線の配列方向に沿って配置されたものであり、前記第１回路接続部材は、前記ノイズ低減素子の前記第１接続部に対して物理的且つ電気的に接続される第１素子側接続部と、前記第１電線の前記芯線の前記中間接続部に対して間接的又は直接的に電気接続される第１電線側接続部と、を備え、前記第２回路接続部材は、前記ノイズ低減素子の前記第２接続部に対して物理的且つ電気的に接続される第２素子側接続部と、前記第２電線の前記芯線の前記中間接続部に対して間接的又は直接的に電気接続される第２電線側接続部と、を備え、前記筐体は、前記フィルタ回路と前記第１電線と前記第２電線とが設置される第１筐体部材と、前記配列方向に沿って前記第１筐体部材に嵌合される第２筐体部材と、を備え、前記第１筐体部材は、前記第２筐体部材に対する嵌合完了状態のときに、前記配列方向で前記第１電線及び前記第２電線のそれぞれの前記芯線の前記中間接続部の内の一方を間接的又は直接的に前記ノイズ低減素子に向けて押圧する第１押圧体を有し、前記第２筐体部材は、前記第１筐体部材に対する嵌合完了状態のときに、前記配列方向で前記第１電線及び前記第２電線のそれぞれの前記芯線の前記中間接続部の内の他方を間接的又は直接的に前記ノイズ低減素子に向けて押圧する第２押圧体を有することを特徴としている。
【発明の効果】
【００１３】
本発明に係るノイズフィルタにおいては、第１電線の中間接続部と第２電線の中間接続部との間にフィルタ回路を電気的に介在させることで、そのフィルタ回路をそれぞれの中間接続部に対して電気的に接続している。例えば、その第１電線と第２電線は、ワイヤハーネスの幹線に束ねられている。よって、このノイズフィルタは、従来のような幹線からの分岐電線（中間電線）の影響を考慮に入れたフィルタ回路特性の調整が不要になる。つまり、本発明に係るノイズフィルタは、中間電線の影響を受けることのないものとなっている。更に、本発明に係るノイズフィルタにおいては、ノイズ低減素子と第１回路接続部材と第２回路接続部材とを第１電線及び第２電線の間で第１電線及び第２電線の配列方向に沿って配置し、その第１電線及び第２電線を配列方向で挟み込んで押圧する第１押圧体と第２押圧体とを筐体に設けている。このため、このノイズフィルタは、その配列方向と第１電線及び第２電線の軸線方向とに対する直交方向における体格の小型化を図ることができる。また、本発明に係るワイヤハーネスは、そのようなノイズフィルタを具備するものであり、このノイズフィルタが得られる効果を奏することができる。
【図面の簡単な説明】
【００１４】
【図１】図１は、実施形態のノイズフィルタ及びワイヤハーネスを示す斜視図である。
【図２】図２は、実施形態のノイズフィルタ及びワイヤハーネスを別角度から見た斜視図である。
【図３】図３は、実施形態のノイズフィルタ及びワイヤハーネスを示す平面図である。
【図４】図４は、実施形態のノイズフィルタ及びワイヤハーネスを示す分解斜視図である。
【図５】図５は、実施形態のノイズフィルタ及びワイヤハーネスを別角度から見た分解斜視図である。
【図６】図６は、実施形態のフィルタ回路を示す分解斜視図である。
【図７】図７は、実施形態のフィルタ回路を別角度から見た分解斜視図である。
【図８】図８は、実施形態の第１筐体部材を示す斜視図である。
【図９】図９は、実施形態の第２筐体部材を示す斜視図である。
【図１０】図１０は、変形例のノイズフィルタ及びワイヤハーネスを示す斜視図である。
【図１１】図１１は、変形例のノイズフィルタ及びワイヤハーネスを別角度から見た斜視図である。
【図１２】図１２は、変形例のノイズフィルタ及びワイヤハーネスを示す平面図である。
【図１３】図１３は、変形例のノイズフィルタ及びワイヤハーネスを示す分解斜視図である。
【図１４】図１４は、変形例のノイズフィルタ及びワイヤハーネスを別角度から見た分解斜視図である。
【図１５】図１５は、変形例のフィルタ回路を示す分解斜視図である。
【図１６】図１６は、変形例のフィルタ回路を別角度から見た分解斜視図である。
【図１７】図１７は、変形例の第１筐体部材を示す斜視図である。
【発明を実施するための形態】
【００１５】
以下に、本発明に係るノイズフィルタ及びワイヤハーネスの実施形態を図面に基づいて詳細に説明する。尚、この実施形態によりこの発明が限定されるものではない。
【００１６】
［実施形態］
本発明に係るノイズフィルタ及びワイヤハーネスの実施形態の１つを図１から図９に基づいて説明する。
【００１７】
図１から図５の符号１は、本実施形態のノイズフィルタを示す。このノイズフィルタ１は、２本の電線（第１電線ＷＥ１、第２電線ＷＥ２）の中間部分同士をフィルタ回路で繋いだノイズ低減装置であり、２本の電線の内の一方を接地させ、その内の他方に乗った電気的なノイズ成分をフィルタ回路で低減させる。その２本の電線は、例えば、車両のワイヤハーネスＷＨの幹線ＷＴが備える複数本の電線の内の２本であって、一方の電線がアース線として接地され、他方の電線が電源線として利用される。その電源線には、例えば、デフォッガやハイマウントストップランプ等の負荷が電気的に接続されている。ノイズフィルタ１は、その２本の電線に接続することによって、ワイヤハーネスＷＨの構成要素の１つとなる。以下に例示するワイヤハーネスＷＨにおいては、第１電線ＷＥ１を電源線として利用し、第２電線ＷＥ２をアース線として利用する。第１電線ＷＥ１は、一方の端部が電源（例えば、車両の二次電池）に対して電気的に接続され、他方の端部が負荷に対して電気的に接続されている。また、第２電線ＷＥ２は、一方の端部が接地されている。第１電線ＷＥ１と第２電線ＷＥ２は、各々、導電性の芯線ＷＥａと、この芯線ＷＥａの外周面を覆う絶縁性の被覆ＷＥｂと、を備える。
【００１８】
ノイズフィルタ１は、ノイズ成分を低減させるフィルタ回路１０を備えるノイズ低減装置であり（図１から図５）、例えば、第１電線ＷＥ１に乗った電気的なノイズ成分をフィルタ回路１０で低減させる。更に、このノイズフィルタ１は、そのフィルタ回路１０を収容する筐体２０を備えている（図１から図５）。このノイズフィルタ１においては、その筐体２０の収容室２０ａ（図１及び図２）に並列配置状態で第１電線ＷＥ１と第２電線ＷＥ２とを収容して、その収容室２０ａの中で第１電線ＷＥ１と第２電線ＷＥ２とを併走させる。フィルタ回路１０は、その併走させた第１電線ＷＥ１及び第２電線ＷＥ２の間に介装させる。ここでは、下記の第１電線ＷＥ１の中間接続部ＷＥａ１と第２電線ＷＥ２の中間接続部ＷＥａ２とが収容室２０ａに収容され、それぞれの中間接続部ＷＥａ１，ＷＥａ２の間にフィルタ回路１０を介装させる。また、第１電線ＷＥ１と第２電線ＷＥ２は、それぞれの両端側が筐体２０の外方に引き出される。
【００１９】
フィルタ回路１０は、第１電線ＷＥ１の中間部分に位置している芯線ＷＥａの一部分と第２電線ＷＥ２の中間部分に位置している芯線ＷＥａの一部分との間に電気的に介在させる。以下においては、その第１電線ＷＥ１の中間部分に位置している芯線ＷＥａの一部分を「中間接続部ＷＥａ１」と称し、かつ、第２電線ＷＥ２の中間部分に位置している芯線ＷＥａの一部分を「中間接続部ＷＥａ２」と称する。また、以下においては、その第１電線ＷＥ１の芯線ＷＥａの中間接続部ＷＥａ１のことを「第１電線ＷＥ１の中間接続部ＷＥａ１」と簡略化し、かつ、その第２電線ＷＥ２の芯線ＷＥａの中間接続部ＷＥａ２のことを「第２電線ＷＥ２の中間接続部ＷＥａ２」と簡略化する。つまり、このフィルタ回路１０は、第１電線ＷＥ１の中間接続部ＷＥａ１と第２電線ＷＥ２の中間接続部ＷＥａ２との間に電気的に介在させるものであり、それぞれの中間接続部ＷＥａ１，ＷＥａ２に対して電気的に接続させる（図１及び図２）。
【００２０】
フィルタ回路１０は、ノイズ成分を低減させる少なくとも１つのノイズ低減素子１１と、このノイズ低減素子１１の第１接続部（以下、「第１素子接続体」という。）１１ａ（図３、図６及び図７）及び第１電線ＷＥ１の中間接続部ＷＥａ１に電気接続される導電性の第１接続部材（以下、「第１回路接続部材」という。）１２と、そのノイズ低減素子１１の第２接続部（以下、「第２素子接続体」という。）１１ｂ（図３、図６及び図７）及び第２電線ＷＥ２の中間接続部ＷＥａ２に電気接続される導電性の第２接続部材（以下、「第２回路接続部材」という。）１３と、を備える（図１から図５）。このフィルタ回路１０においては、そのノイズ低減素子１１と第１回路接続部材１２と第２回路接続部材１３とが、第１電線ＷＥ１及び第２電線ＷＥ２の間で第１電線ＷＥ１及び第２電線ＷＥ２の配列方向（並列配置方向）に沿って配置される。
【００２１】
以下において単に「軸線方向」と記した場合、それは、第１電線ＷＥ１及び第２電線ＷＥ２の軸線方向のことを示している。また、以下において単に「配列方向」と記した場合、それは、第１電線ＷＥ１及び第２電線ＷＥ２の配列方向のことを示している。
【００２２】
ノイズ低減素子１１は、このノイズフィルタ１の回路構成でノイズの低減を図り得るものであれば、如何様なものを用いてもよい。例えば、ノイズ低減素子１１としては、コンデンサやコイル等が考えられる。このフィルタ回路１０では、ノイズ低減素子１１として２つのコンデンサを備えており、この２つのコンデンサでノイズの低減を図ることができるように構成する（図４及び図５）。このノイズ低減素子１１としての２つのコンデンサは、略方体状に形成されており、筐体２０に収容されているときに、軸線方向と配列方向とに対する直交方向で積層される。また、このノイズ低減素子１１としてのコンデンサにおいては、筐体２０に収容されているときに、軸線方向における一端に第１素子接続体１１ａとしての第１外部電極が配置され、軸線方向における他端に第２素子接続体１１ｂとしての第２外部電極が配置される。以下において単に「積層方向」と記した場合、それは、ノイズ低減素子１１としての２つのコンデンサの積層方向のことを示している。
【００２３】
第１回路接続部材１２と第２回路接続部材１３は、ノイズ低減素子１１を介して互いを電気的に接続させる導電部材であり、２つのノイズ低減素子１１を配列方向で挟持するものとして金属等の導電性材料で成形されている。この例示の第１回路接続部材１２と第２回路接続部材１３は、各々、金属板を母材とするプレス成形品である。但し、ここでは、後述する絶縁体１４を第１回路接続部材１２に設け且つ後述する絶縁体１５を第２回路接続部材１３に設けるべく、例えば、母材となる金属板の一方に平面側に絶縁部材をシート状に埋設し、その絶縁部材と共に金属板をプレス成形する。その金属板と絶縁部材は、互いの平面同士が面一となるように一体化されている。
【００２４】
第１回路接続部材１２は、ノイズ低減素子１１の第１素子接続体１１ａに対して物理的且つ電気的に接続される第１素子側接続部１２ａ１を備える（図６）。更に、この第１回路接続部材１２は、第１電線ＷＥ１の中間接続部ＷＥａ１に対して間接的又は直接的に電気接続される第１電線側接続部１２ａ２を備える（図７）。
【００２５】
この第１回路接続部材１２は、筐体２０に収容されているときに、配列方向でノイズ低減素子１１と第１電線ＷＥ１の中間接続部ＷＥａ１との間に配置する。この第１回路接続部材１２は、配列方向で第１素子側接続部１２ａ１をノイズ低減素子１１の第１素子接続体１１ａに接触させることによって、その相互間を物理的且つ電気的に接続させる。ここで、ノイズ低減素子１１の第１素子接続体１１ａと第１素子側接続部１２ａ１は、第１回路接続部材１２と第２回路接続部材１３との間にノイズ低減素子１１が挟持されているときに物理的且つ電気的に接続されるものとして形成する。また、この第１回路接続部材１２は、配列方向で第１電線側接続部１２ａ２を第１電線ＷＥ１の中間接続部ＷＥａ１に対して間接的又は直接的に電気接続させる。
【００２６】
この例示の第１回路接続部材１２には、配列方向に対しての直交平面を有する矩形の平板状の主壁体１２ａが設けられている（図６及び図７）。
【００２７】
その主壁体１２ａは、ノイズ低減素子１１側の一方の平面に、第１素子側接続部１２ａ１と絶縁体１４とを有する（図６）。絶縁体１４は、ノイズ低減素子１１の第２素子接続体１１ｂに対する第１回路接続部材１２の電気的な接続を断つために設ける。この主壁体１２ａにおいては、軸線方向にて、ノイズ低減素子１１の第１素子接続体１１ａ側に第１素子側接続部１２ａ１を設け、ノイズ低減素子１１の第２素子接続体１１ｂ側に絶縁体１４を設ける。その第１素子側接続部１２ａ１と絶縁体１４は、互いの平面同士が面一になっている。よって、ノイズ低減素子１１の第１素子接続体１１ａは、絶縁体１４に邪魔されることなく、第１素子側接続部１２ａ１に接触することができる。
【００２８】
また、この主壁体１２ａにおいては、第１電線ＷＥ１の中間接続部ＷＥａ１側の他方の平面を第１電線側接続部１２ａ２として利用する（図７）。
【００２９】
この第１回路接続部材１２は、ノイズ低減素子１１を軸線方向で挟み込む２つの素子側係止突起（以下、「第１素子側係止突起」という。）１２ｂを有する（図６及び図７）。それぞれの第１素子側係止突起１２ｂは、ノイズ低減素子１１を軸線方向で挟み込むことによって、ノイズ低減素子１１と第１回路接続部材１２との間の軸線方向での相対移動を規制するものである。それぞれの第１素子側係止突起１２ｂは、主壁体１２ａの軸線方向における両端から各々同じ向きに突出させた矩形の片体として形成している。絶縁体１４は、ノイズ低減素子１１の第２素子接続体１１ｂ側に配置される第１素子側係止突起１２ｂにまで延在させている。
【００３０】
更に、この第１回路接続部材１２は、２つのノイズ低減素子１１を積層方向で挟み込む２つの素子側係止突起（以下、「第２素子側係止突起」という。）１２ｃを有する（図６及び図７）。それぞれの第２素子側係止突起１２ｃは、ノイズ低減素子１１を積層方向で挟み込むことによって、ノイズ低減素子１１と第１回路接続部材１２との間の積層方向での相対移動を規制するものである。それぞれの第２素子側係止突起１２ｃは、主壁体１２ａの積層方向における両端から各々同じ向きに突出させた矩形の片体として形成している。
【００３１】
ここで、この第１回路接続部材１２は、後述する筒状の第１電線接続部材１６の筒軸方向（軸線方向）における両端を筒軸方向で挟み込む２つの電線側係止突起１２ｄを有する（図６及び図７）。それぞれの電線側係止突起１２ｄは、第１電線接続部材１６を筒軸方向で挟み込むことによって、第１回路接続部材１２と第１電線接続部材１６との間の軸線方向での相対移動を規制し、これに伴い、第１回路接続部材１２と第１電線ＷＥ１の中間接続部ＷＥａ１との間の軸線方向での相対移動を規制するものである。それぞれの電線側係止突起１２ｄは、それぞれの第１素子側係止突起１２ｂの突出方向側の端部から外側にＪ字状に各々折り曲げた矩形の片体として形成している。それぞれの電線側係止突起１２ｄは、主壁体１２ａの第１電線側接続部１２ａ２よりも第１電線ＷＥ１の中間接続部ＷＥａ１側に突出させる。絶縁体１４は、ノイズ低減素子１１の第２素子接続体１１ｂ側に配置される電線側係止突起１２ｄにまで延在させている。
【００３２】
第２回路接続部材１３は、ノイズ低減素子１１の第２素子接続体１１ｂに対して物理的且つ電気的に接続される第２素子側接続部１３ａ１を備える（図７）。更に、この第２回路接続部材１３は、第２電線ＷＥ２の中間接続部ＷＥａ２に対して間接的又は直接的に電気接続される第２電線側接続部１３ａ２を備える（図６）。
【００３３】
この第２回路接続部材１３は、筐体２０に収容されているときに、配列方向でノイズ低減素子１１と第２電線ＷＥ２の中間接続部ＷＥａ２との間に配置する。この第２回路接続部材１３は、配列方向で第２素子側接続部１３ａ１をノイズ低減素子１１の第２素子接続体１１ｂに接触させることによって、その相互間を物理的且つ電気的に接続させる。ここで、ノイズ低減素子１１の第２素子接続体１１ｂと第２素子側接続部１３ａ１は、第１回路接続部材１２と第２回路接続部材１３との間にノイズ低減素子１１が挟持されているときに物理的且つ電気的に接続されるものとして形成する。また、この第２回路接続部材１３は、配列方向で第２電線側接続部１３ａ２を第２電線ＷＥ２の中間接続部ＷＥａ２に対して間接的又は直接的に電気接続させる。
【００３４】
この例示の第２回路接続部材１３には、配列方向に対しての直交平面を有する矩形の平板状の主壁体１３ａが設けられている（図６及び図７）。
【００３５】
その主壁体１３ａは、ノイズ低減素子１１側の一方の平面に、第２素子側接続部１３ａ１と絶縁体１５とを有する（図７）。絶縁体１５は、ノイズ低減素子１１の第１素子接続体１１ａに対する第２回路接続部材１３の電気的な接続を断つために設ける。この主壁体１３ａにおいては、軸線方向にて、ノイズ低減素子１１の第２素子接続体１１ｂ側に第１素子側接続部１３ａ１を設け、ノイズ低減素子１１の第１素子接続体１１ａ側に絶縁体１５を設ける。その第２素子側接続部１３ａ１と絶縁体１５は、互いの平面同士が面一になっている。よって、ノイズ低減素子１１の第２素子接続体１１ｂは、絶縁体１５に邪魔されることなく、第２素子側接続部１３ａ１に接触することができる。
【００３６】
また、この主壁体１３ａにおいては、第２電線ＷＥ２の中間接続部ＷＥａ２側の他方の平面を第２電線側接続部１３ａ２として利用する（図６）。
【００３７】
この第２回路接続部材１３は、ノイズ低減素子１１を軸線方向で挟み込む２つの素子側係止突起（以下、「第１素子側係止突起」という。）１３ｂを有する（図６及び図７）。それぞれの第１素子側係止突起１３ｂは、ノイズ低減素子１１を軸線方向で挟み込むことによって、ノイズ低減素子１１と第２回路接続部材１３との間の軸線方向での相対移動を規制するものである。それぞれの第１素子側係止突起１３ｂは、主壁体１３ａの軸線方向における両端から各々同じ向きに突出させた矩形の片体として形成している。絶縁体１５は、ノイズ低減素子１１の第１素子接続体１１ａ側に配置される第１素子側係止突起１３ｂにまで延在させている。
【００３８】
更に、この第２回路接続部材１３は、２つのノイズ低減素子１１を積層方向で挟み込む２つの素子側係止突起（以下、「第２素子側係止突起」という。）１３ｃを有する（図６及び図７）。それぞれの第２素子側係止突起１３ｃは、ノイズ低減素子１１を積層方向で挟み込むことによって、ノイズ低減素子１１と第２回路接続部材１３との間の積層方向での相対移動を規制するものである。それぞれの第２素子側係止突起１３ｃは、主壁体１３ａの積層方向における両端から各々同じ向きに突出させた矩形の片体として形成している。
【００３９】
ここで、この第２回路接続部材１３は、後述する筒状の第２電線接続部材１７の筒軸方向（軸線方向）における両端を筒軸方向で挟み込む２つの電線側係止突起１３ｄを有する（図６及び図７）。それぞれの電線側係止突起１３ｄは、第２電線接続部材１７を筒軸方向で挟み込むことによって、第２回路接続部材１３と第２電線接続部材１７との間の軸線方向での相対移動を規制し、これに伴い、第２回路接続部材１３と第２電線ＷＥ２の中間接続部ＷＥａ２との間の軸線方向での相対移動を規制するものである。それぞれの電線側係止突起１３ｄは、それぞれの第１素子側係止突起１３ｂの突出方向側の端部から外側にＪ字状に各々折り曲げた矩形の片体として形成している。それぞれの電線側係止突起１３ｄは、主壁体１３ａの第２電線側接続部１３ａ２よりも第２電線ＷＥ２の中間接続部ＷＥａ２側に突出させる。絶縁体１５は、ノイズ低減素子１１の第１素子接続体１１ａ側に配置される電線側係止突起１３ｄにまで延在させている。
【００４０】
筐体２０は、合成樹脂等の絶縁性材料で成形する。この筐体２０は、フィルタ回路１０と第１電線ＷＥ１と第２電線ＷＥ２とを収容する収容室２０ａを内方に有する（図１及び図２）。その収容室２０ａには、少なくともフィルタ回路１０と第１電線ＷＥ１の中間接続部ＷＥａ１と第２電線ＷＥ２の中間接続部ＷＥａ２とが収容される。この筐体２０においては、第１電線ＷＥ１におけるそれぞれの端部側が内方の収容室２０ａから外方へと引き出され、かつ、第２電線ＷＥ２におけるそれぞれの端部側が内方の収容室２０ａから外方へと引き出される。この筐体２０は、第１筐体部材２１と第２筐体部材２２とを互いに嵌め合わせることによって、収容室２０ａを形成する。
【００４１】
この筐体２０においては、フィルタ回路１０と第１電線ＷＥ１と第２電線ＷＥ２とを第１筐体部材２１に設置し、その第１筐体部材２１に対して配列方向に沿って第２筐体部材２２を嵌合させる。
【００４２】
第１筐体部材２１は、矩形の平板状の主壁体２１ａと、この主壁体２１ａの３つの辺部から各々同じ向きに垂設させた矩形の平板状の第１から第３の周壁体２１ｂ−２１ｄと、を有する（図８）。この第１筐体部材２１は、残りの１つの辺部側から第２筐体部材２２に挿入嵌合される。
【００４３】
この第１筐体部材２１においては、対向配置されている第１周壁体２１ｂと第２周壁体２１ｃから第１電線ＷＥ１と第２電線ＷＥ２とを外方に引き出させる。そこで、第１周壁体２１ｂには、第１電線ＷＥ１の一方の端部側を外方に引き出させる第１引出口２１ｂ１と、第２電線ＷＥ２の一方の端部側を外方に引き出させる第２引出口２１ｂ２と、が形成されている（図８）。また、第２周壁体２１ｃには、第１電線ＷＥ１の他方の端部側を外方に引き出させる第３引出口２１ｃ１と、第２電線ＷＥ２の他方の端部側を外方に引き出させる第４引出口２１ｃ２と、が形成されている（図８）。
【００４４】
この第１筐体部材２１においては、中間接続部ＷＥａ１を内方に配置させるように第１電線ＷＥ１が第１引出口２１ｂ１と第３引出口２１ｃ１とに挿入され、かつ、中間接続部ＷＥａ２を内方に配置させるように第２電線ＷＥ２が第２引出口２１ｂ２と第４引出口２１ｃ２とに挿入される。これにより、第１電線ＷＥ１と第２電線ＷＥ２は、第１筐体部材２１に併走状態で配置される。
【００４５】
フィルタ回路１０のノイズ低減素子１１と第１回路接続部材１２と第２回路接続部材１３は、その併走状態の第１電線ＷＥ１の中間接続部ＷＥａ１と第２電線ＷＥ２の中間接続部ＷＥａ２との間に配置する。ここでは、例えば、２つのノイズ低減素子１１を第１回路接続部材１２と第２回路接続部材１３とで挟み込み、これらの組付け体を第１筐体部材２１の内方に配置する。
【００４６】
第２筐体部材２２は、矩形の平板状の主壁体２２ａと、この主壁体２２ａの対向配置された２つの辺部から各々同じ向きに垂設させた矩形の平板状の第１及び第２の立壁体２２ｂ，２２ｃと、を有する（図９）。この第２筐体部材２２は、第１及び第２の立壁体２２ｂ，２２ｃの自由端側の開口から第１筐体部材２１を挿入嵌合させる。
【００４７】
主壁体２２ａは、第１筐体部材２１と第２筐体部材２２とが嵌合完了状態のときに、第１筐体部材２１の第３周壁体２１ｄに対して間隔を空けて対向配置される。第１立壁体２２ｂは、第１筐体部材２１と第２筐体部材２２とが嵌合完了状態のときに、第１筐体部材２１の主壁体２１ａの外壁面に対向配置される。第２立壁体２２ｃは、第１筐体部材２１と第２筐体部材２２とが嵌合完了状態のときに、第１筐体部材２１の主壁体２１ａの内壁面に対して間隔を空けて対向配置される。この筐体２０においては、第１筐体部材２１の主壁体２１ａ及び第１から第３の周壁体２１ｂ−２１ｄと第２筐体部材２２の主壁体２２ａ及び第２立壁体２２ｃとで囲まれた空間が収容室２０ａとなる。
【００４８】
この筐体２０において、第１筐体部材２１は、第２筐体部材２２に対する嵌合完了状態のときに、配列方向で第１電線ＷＥ１及び第２電線ＷＥ２のそれぞれの中間接続部ＷＥａ１，ＷＥａ２の内の一方を間接的又は直接的にノイズ低減素子１１に向けて押圧する第１押圧体２３を有する（図１から図５及び図８）。そして、第２筐体部材２２は、第１筐体部材２１に対する嵌合完了状態のときに、配列方向で第１電線ＷＥ１及び第２電線ＷＥ２のそれぞれの中間接続部ＷＥａ１，ＷＥａ２の内の他方を間接的又は直接的にノイズ低減素子１１に向けて押圧する第２押圧体２４を有する（図１から図５及び図９）。
【００４９】
この筐体２０においては、第１押圧体２３を第１筐体部材２１の第３周壁体２１ｄに設け、第２押圧体２４を第２筐体部材２２の主壁体２２ａに設けている。
【００５０】
この例示の第１押圧体２３は、第３周壁体２１ｄの内壁面から自由端側を浮き上がらせた片持ちの片体状の片部２３ａと、この片部２３ａの自由端に設け、第２電線ＷＥ２の中間接続部ＷＥａ２に対して間接的又は直接的に配列方向の押圧力を作用させる押圧部２３ｂと、を有する（図８）。片部２３ａは、固定端側を支点にした弾性域内での撓みが可能なものとして形成する。押圧部２３ｂは、配列方向で第２電線ＷＥ２の中間接続部ＷＥａ２に対向配置させる。ここでは、押圧部２３ｂを矩形の片体状に形成している。
【００５１】
また、この例示の第２押圧体２４は、主壁体２２ａの内壁面から自由端側を浮き上がらせた片持ちの片体状の片部２４ａと、この片部２４ａの自由端に設け、第１電線ＷＥ１の中間接続部ＷＥａ１に対して間接的又は直接的に配列方向の押圧力を作用させる押圧部２４ｂと、を有する（図９）。片部２４ａは、固定端側を支点にした弾性域内での撓みが可能なものとして形成する。押圧部２４ｂは、配列方向で第１電線ＷＥ１の中間接続部ＷＥａ１に対向配置させる。ここでは、押圧部２４ｂを矩形の片体状に形成している。
【００５２】
ここで、第１押圧体２３と第２押圧体２４は、第１筐体部材２１と第２筐体部材２２とが嵌合完了状態のときに、配列方向で間隔を空けて対向配置させることが望ましい。この例示では、それぞれの押圧部２３ｂ，２４ｂを配列方向で対向配置させている。
【００５３】
この筐体２０において、第１押圧体２３と第２押圧体２４は、第１筐体部材２１と第２筐体部材２２とが嵌合完了状態のときに、それぞれの中間接続部ＷＥａ１，ＷＥａ２を間接的又は直接的に挟み込むための配列方向の押圧力（挟持力）をそれぞれの押圧部２３ｂ，２４ｂからそれぞれの中間接続部ＷＥａ２，ＷＥａ１に作用させる。
【００５４】
第１押圧体２３の押圧力は、第２電線ＷＥ２の中間接続部ＷＥａ２を介して間接的又は直接的に第２回路接続部材１３に伝わる。よって、第２回路接続部材１３の第２電線側接続部１３ａ２は、第１押圧体２３と第２押圧体２４のそれぞれの押圧力によって、配列方向で第２電線ＷＥ２の中間接続部ＷＥａ２に対して間接的又は直接的に電気接続される。また、第２押圧体２４の押圧力は、第１電線ＷＥ１の中間接続部ＷＥａ１を介して間接的又は直接的に第１回路接続部材１２に伝わる。よって、第１回路接続部材１２の第１電線側接続部１２ａ２は、第１押圧体２３と第２押圧体２４のそれぞれの押圧力によって、配列方向で第１電線ＷＥ１の中間接続部ＷＥａ１に対して間接的又は直接的に電気接続される。
【００５５】
第１押圧体２３と第２押圧体２４のそれぞれの押圧力は、第１回路接続部材１２と第２回路接続部材１３とに伝わることで、この第１回路接続部材１２と第２回路接続部材１３とがノイズ低減素子１１を挟み込むための挟持力となる。つまり、第１押圧体２３と第２押圧体２４は、それぞれの押圧力で第１回路接続部材１２と第２回路接続部材１３との間にノイズ低減素子１１を挟持させる。先に示したように、ノイズ低減素子１１の第１素子接続体１１ａと第１素子側接続部１２ａ１は、第１回路接続部材１２と第２回路接続部材１３との間にノイズ低減素子１１が挟持されているときに物理的且つ電気的に接続される。また、ノイズ低減素子１１の第２素子接続体１１ｂと第２素子側接続部１３ａ１は、第１回路接続部材１２と第２回路接続部材１３との間にノイズ低減素子１１が挟持されているときに物理的且つ電気的に接続される。
【００５６】
このノイズフィルタ１は、第１電線ＷＥ１の中間接続部ＷＥａ１、第２電線ＷＥ２の中間接続部ＷＥａ２、第１回路接続部材１２、第２回路接続部材１３及びノイズ低減素子１１に対して、第１押圧体２３と第２押圧体２４のそれぞれの押圧力を伝えるために、第１回路接続部材１２と第２回路接続部材１３を第１筐体部材２１に対して配列方向に相対移動させることが可能なガイド機構３０を備えている（図６から図８）。そのガイド機構３０は、第１回路接続部材１２と第２回路接続部材１３とに各々設けた被ガイド部３１と、被ガイド部３１を配列方向に沿って案内する第１筐体部材２１のガイド部３２と、を備える。
【００５７】
この例示では、第１回路接続部材１２の第２素子側係止突起１２ｃと第２回路接続部材１３の第２素子側係止突起１３ｃを被ガイド部３１として各々利用する（図６及び図７）。第１筐体部材２１の主壁体２１ａの内壁面側には、配列方向に延在させた第１溝部２１ａ１が形成されている（図８）。ここでは、その第１溝部２１ａ１を主壁体２１ａ側のそれぞれの第２素子側係止突起１２ｃ，１３ｃのガイド部３２として利用する。そこで、第１溝部２１ａ１は、主壁体２１ａ側のそれぞれの第２素子側係止突起１２ｃ，１３ｃを挿入させ、かつ、主壁体２１ａ側のそれぞれの第２素子側係止突起１２ｃ，１３ｃを配列方向に沿って案内させることが可能な形状のものとして形成する。
【００５８】
また、この例示では、第１回路接続部材１２のそれぞれの電線側係止突起１２ｄを主壁体２１ａ側に突出させ、そのそれぞれの突出部分１２ｅを被ガイド部３１として各々利用する（図６及び図７）。また、この例示では、第２回路接続部材１３のそれぞれの電線側係止突起１３ｄを主壁体２１ａ側に突出させ、そのそれぞれの突出部分１３ｅを被ガイド部３１として各々利用する（図６及び図７）。第１筐体部材２１の主壁体２１ａの内壁面側には、配列方向に延在させた第２溝部２１ａ２と第３溝部２１ａ３とが形成されている（図８）。ここでは、第２溝部２１ａ２を一方の電線側係止突起１２ｄ，１３ｄにおけるそれぞれの被ガイド部３１のガイド部３２として利用し、第３溝部２１ａ３を他方の電線側係止突起１２ｄ，１３ｄにおけるそれぞれの被ガイド部３１のガイド部３２として利用する。そこで、第２溝部２１ａ２は、一方の電線側係止突起１２ｄ，１３ｄにおけるそれぞれの被ガイド部３１（突出部分１２ｅ，１３ｅ）を挿入させ、かつ、そのそれぞれの被ガイド部３１を配列方向に沿って案内させることが可能な形状のものとして形成する。また、第３溝部２１ａ３は、他方の電線側係止突起１２ｄ，１３ｄにおけるそれぞれの被ガイド部３１を挿入させ、かつ、そのそれぞれの被ガイド部３１を配列方向に沿って案内させることが可能な形状のものとして形成する。
【００５９】
このノイズフィルタ１においては、第１押圧体２３と第２押圧体２４のそれぞれの押圧力が第２電線ＷＥ２の中間接続部ＷＥａ２と第１電線ＷＥ１の中間接続部ＷＥａ１とに対して間接的又は直接的に伝わると、第１電線ＷＥ１の中間接続部ＷＥａ１から第１回路接続部材１２の第１電線側接続部１２ａ２に対して間接的又は直接的に配列方向の押圧力が作用し、かつ、第２電線ＷＥ２の中間接続部ＷＥａ２から第２回路接続部材１３の第１電線側接続部１３ａ２に対して間接的又は直接的に配列方向の押圧力が作用する。これに伴い、このノイズフィルタ１においては、第１回路接続部材１２がガイド機構３０の作用によってノイズ低減素子１１に押し付けられ、かつ、第２回路接続部材１３がガイド機構３０の作用によってノイズ低減素子１１に押し付けられる。
【００６０】
従って、このノイズフィルタ１においては、第１筐体部材２１と第２筐体部材２２とが嵌合完了状態のときに、第１電線ＷＥ１の中間接続部ＷＥａ１と第１回路接続部材１２の第１電線側接続部１２ａ２との間を間接的又は直接的に電気接続させることができ、かつ、第１回路接続部材１２の第１素子側接続部１２ａ１とノイズ低減素子１１の第１素子接続体１１ａとの間を直接的に電気接続させることができる。更に、このノイズフィルタ１においては、第１筐体部材２１と第２筐体部材２２とが嵌合完了状態のときに、第２電線ＷＥ２の中間接続部ＷＥａ２と第２回路接続部材１３の第１電線側接続部１３ａ２との間を間接的又は直接的に電気接続させることができ、かつ、第２回路接続部材１３の第１素子側接続部１３ａ１とノイズ低減素子１１の第２素子接続体１１ｂとの間を直接的に電気接続させることができる。
【００６１】
更に、このノイズフィルタ１においては、ガイド機構３０によって、第１筐体部材２１と第２筐体部材２２とが嵌合完了状態のときに、第１回路接続部材１２の２つの第１素子側係止突起１２ｂがノイズ低減素子１１を軸線方向で挟み込むことができ、かつ、第１回路接続部材１２の２つの第２素子側係止突起１２ｃがノイズ低減素子１１を積層方向で挟み込むことができる。また、このノイズフィルタ１においては、ガイド機構３０によって、第１筐体部材２１と第２筐体部材２２とが嵌合完了状態のときに、第２回路接続部材１３の２つの第１素子側係止突起１３ｂがノイズ低減素子１１を軸線方向で挟み込むことができ、かつ、第２回路接続部材１３の２つの第２素子側係止突起１３ｃがノイズ低減素子１１を積層方向で挟み込むことができる。従って、このノイズフィルタ１は、ノイズ低減素子１１と第１回路接続部材１２との間及びノイズ低減素子１１と第２回路接続部材１３との間の相対的な位置ずれを抑えることができるので、これらの間の通電状態を保ち続けることができる。
【００６２】
ところで、この例示では、第１電線ＷＥ１の中間接続部ＷＥａ１と第１回路接続部材１２との間及び第２電線ＷＥ２の中間接続部ＷＥａ２と第２回路接続部材１３との間を間接的に電気接続させる。そこで、この例示のフィルタ回路１０には、第１電線ＷＥ１の中間接続部ＷＥａ１に予め組み付けて、内方側が第１電線ＷＥ１の中間接続部ＷＥａ１に対して物理的且つ電気的に接続された筒状の導電性の第１電線接続部材１６と、第２電線ＷＥ２の中間接続部ＷＥａ２に予め組み付けて、内方側が第２電線ＷＥ２の中間接続部ＷＥａ２に対して物理的且つ電気的に接続された筒状の導電性の第２電線接続部材１７と、を設けている（図１から図５）。
【００６３】
この例示の第１電線接続部材１６と第２電線接続部材１７は、金属等の導電性材料で成形する。例えば、第１電線接続部材１６は、矩形の金属板を第１電線ＷＥ１の中間接続部ＷＥａ１に対して巻き付けながら加締めていくことによって、その中間接続部ＷＥａ１に対して内方側が物理的且つ電気的に接続された筒状部材となる。また、第２電線接続部材１７は、矩形の金属板を第２電線ＷＥ２の中間接続部ＷＥａ２に対して巻き付けながら加締めていくことによって、その中間接続部ＷＥａ２に対して内方側が物理的且つ電気的に接続された筒状部材となる。この例示の第１電線接続部材１６と第２電線接続部材１７は、各々、円筒状に成形している。
【００６４】
この例示のノイズフィルタ１においては、第１押圧体２３の押圧力が第２電線接続部材１７に伝わり、かつ、第２押圧体２４の押圧力が第１電線接続部材１６に伝わると、第１電線接続部材１６から第１回路接続部材１２の第１電線側接続部１２ａ２に対して配列方向の押圧力が作用し、かつ、第２電線接続部材１７から第２回路接続部材１３の第１電線側接続部１３ａ２に対して配列方向の押圧力が作用する。これに伴い、このノイズフィルタ１においては、第１回路接続部材１２がガイド機構３０の作用によってノイズ低減素子１１に押し付けられ、かつ、第２回路接続部材１３がガイド機構３０の作用によってノイズ低減素子１１に押し付けられる。
【００６５】
従って、このノイズフィルタ１においては、第１筐体部材２１と第２筐体部材２２とが嵌合完了状態のときに、第１電線接続部材１６を介して第１電線ＷＥ１の中間接続部ＷＥａ１と第１回路接続部材１２の第１電線側接続部１２ａ２との間を間接的に電気接続させることができ、かつ、第１回路接続部材１２の第１素子側接続部１２ａ１とノイズ低減素子１１の第１素子接続体１１ａとの間を直接的に電気接続させることができる。更に、このノイズフィルタ１においては、第１筐体部材２１と第２筐体部材２２とが嵌合完了状態のときに、第２電線接続部材１７を介して第２電線ＷＥ２の中間接続部ＷＥａ２と第２回路接続部材１３の第１電線側接続部１３ａ２との間を間接的に電気接続させることができ、かつ、第２回路接続部材１３の第１素子側接続部１３ａ１とノイズ低減素子１１の第２素子接続体１１ｂとの間を直接的に電気接続させることができる。
【００６６】
更に、この例示のノイズフィルタ１においては、第１筐体部材２１と第２筐体部材２２とが嵌合完了状態のときに、第１回路接続部材１２の２つの電線側係止突起１２ｄが第１電線接続部材１６の筒軸方向における両端を当該筒軸方向で挟み込む。また、このノイズフィルタ１においては、第１筐体部材２１と第２筐体部材２２とが嵌合完了状態のときに、第２回路接続部材１３の２つの電線側係止突起１３ｄが第２電線接続部材１７の筒軸方向における両端を当該筒軸方向で挟み込む。従って、この例示のノイズフィルタ１は、ノイズ低減素子１１と第１回路接続部材１２との間及びノイズ低減素子１１と第２回路接続部材１３との間の相対的な位置ずれを抑えることができるのみならず、第１回路接続部材１２と第１電線ＷＥ１の中間接続部ＷＥａ１との間及び第２回路接続部材１３と第２電線ＷＥ２の中間接続部ＷＥａ２との間の軸線方向における相対的な位置ずれを抑えることができる。よって、このノイズフィルタ１においては、これらの間の通電状態を保ち続けることができる。
【００６７】
例えば、このノイズフィルタ１は、第１電線ＷＥ１及び第２電線ＷＥ２と共に幹線ＷＴに粘着テープ（図示略）等で固定して、その幹線ＷＴに抱きかかえさせる。これにより、第１電線ＷＥ１と第２電線ＷＥ２へのノイズフィルタ１の取り付けが完了する。
【００６８】
ここで、第１電線ＷＥ１と第２電線ＷＥ２とが丸導体等の単線を芯線ＷＥａとして備えるものである場合、それぞれの中間接続部ＷＥａ１，ＷＥａ２は、各々、第１回路接続部材１２の第１電線側接続部１２ａ２と第２回路接続部材１３の第１電線側接続部１３ａ２とに対して直接的に電気接続させてもよい。つまり、この場合には、それぞれの中間接続部ＷＥａ１，ＷＥａ２に第１電線接続部材１６や第２電線接続部材１７を設けずともよい。また、第１電線ＷＥ１と第２電線ＷＥ２とが複数本の素線の集合体を芯線ＷＥａとして備えるものであったとしても、それぞれの中間接続部ＷＥａ１，ＷＥａ２における複数本の素線を熱圧着等で溶着して一纏めに固着させた場合には、それぞれの中間接続部ＷＥａ１，ＷＥａ２に第１電線接続部材１６や第２電線接続部材１７を設けずに、それぞれの中間接続部ＷＥａ１，ＷＥａ２を各々第１回路接続部材１２の第１電線側接続部１２ａ２と第２回路接続部材１３の第１電線側接続部１３ａ２とに対して直接的に電気接続させてもよい。但し、これらの場合には、第１回路接続部材１２と第２回路接続部材１３に電線側係止突起１２ｄ，１３ｄを設けない又は電線側係止突起１２ｄ，１３ｄに電線挿入用の切欠きを設けることが望ましい。
【００６９】
以上示した本実施形態のノイズフィルタ１は、中間電線の影響を受けることのないものとなっている。つまり、従来のノイズフィルタは、前述したように、ノイズ低減対象電線とフィルタ回路との間に中間電線を介在させている。その中間電線は、ノイズフィルタへの組付け作業性や車両への配索経路等を考慮して、長さに関する許容公差が大きく取られている。このため、従来のノイズフィルタは、その長さに応じた中間電線のノイズ成分をも考慮に入れて、フィルタ回路特性（共振点やノイズ低減性能等）の調整を行う必要がある。しかしながら、本実施形態のノイズフィルタ１においては、ワイヤハーネスＷＨの幹線ＷＴに束ねられている第１電線ＷＥ１の中間接続部ＷＥａ１と第２電線ＷＥ２の中間接続部ＷＥａ２との間にフィルタ回路１０を電気的に介在させることで、そのフィルタ回路１０をそれぞれの中間接続部ＷＥａ１，ＷＥａ２に対して電気的に接続している。よって、このノイズフィルタ１は、従来のような幹線からの分岐電線（中間電線）の影響を考慮に入れたフィルタ回路特性の調整が不要になる。即ち、このノイズフィルタ１は、中間電線の影響を受けることのないものとなっている。
【００７０】
更に、本実施形態のノイズフィルタ１においては、ノイズ低減素子１１と第１回路接続部材１２と第２回路接続部材１３とを第１電線ＷＥ１及び第２電線ＷＥ２の間で第１電線ＷＥ１及び第２電線ＷＥ２の配列方向に沿って配置し、その第１電線ＷＥ１及び第２電線ＷＥ２を配列方向で挟み込んで押圧する第１押圧体２３と第２押圧体２４とを筐体２０に設けている。このため、このノイズフィルタ１は、直交方向（その配列方向と第１電線ＷＥ１及び第２電線ＷＥ２の軸線方向に対する直交方向）における体格の小型化を図ることができる。
【００７１】
一方、このノイズフィルタ１においては、ノイズ低減素子１１と第１回路接続部材１２と第２回路接続部材１３と第１電線ＷＥ１と第２電線ＷＥ２とを並列配置しているので、その並列配置方向（配列方向）の体格の大型化を招いてしまう可能性がある。しかしながら、本実施形態のノイズフィルタ１においては、ノイズ低減素子１１と第１回路接続部材１２と第２回路接続部材１３と第１電線ＷＥ１と第２電線ＷＥ２を筐体２０の第１押圧体２３と第２押圧体２４とで挟み込んで押圧することによって、フィルタ回路１０と第１電線ＷＥ１及び第２電線ＷＥ２との間の電気的な接続を図っている。このため、このノイズフィルタ１の電気的な接続構造は、従来のような雌雄の端子部の嵌合構造となっているものと比較して、小型化が可能になる。よって、このノイズフィルタ１は、その並列配置方向（配列方向）における体格の大型化を抑えることができる。また、そのような従来の接続構造は形状如何で原価の高騰を招く虞があるが、このノイズフィルタ１は、そのような簡便な接続構造であるが故に、原価の高騰を抑えることができる。
【００７２】
また更に、本実施形態のノイズフィルタ１は、一方の端部を接地させる第２電線ＷＥ２の中間接続部ＷＥａ２に対してフィルタ回路１０を電気的に接続させるので、例えば、幹線ＷＴの周囲に接地可能な導電体が存在しておらずとも、また、自らの設置対象物が合成樹脂等の絶縁性材料で成形されていたとしても、容易にアースを取ることができる。つまり、従来のノイズフィルタは、導電性の設置対象物に取り付けた際に当該設置対象物にアース端子を接続することによって、その設置対象物を介してアースを取っている。よって、従来のノイズフィルタにおいては、アース端子と設置対象物との固定作業を容易にするために、アース端子を筐体から食み出させている。しかしながら、このノイズフィルタ１は、そのようなアース端子を備えずとも、アースを取ることができる。従って、このノイズフィルタ１は、体格の小型化や軽量化を図ることができる。
【００７３】
また、本実施形態のワイヤハーネスＷＨは、そのようなノイズフィルタ１を具備するものであり、このノイズフィルタ１が得られる効果を奏することができる。
【００７４】
［変形例］
図１０から図１４の符号２は、本変形例のノイズフィルタを示す。また、その各図のＷＨは、本変形例のワイヤハーネスを示す。このノイズフィルタ２とワイヤハーネスＷＨは、前述した実施形態のノイズフィルタ１において、フィルタ回路１０を下記のフィルタ回路１１０（図１０から図１６）に置き換え、かつ、第１筐体部材２１を下記の第１筐体部材１２１（図１０から図１４及び図１７）に置き換えたものである。
【００７５】
このノイズフィルタ２では、第１筐体部材１２１と第２筐体部材２２とで筐体１２０を構成する（図１０から図１４）。第１筐体部材１２１は、実施形態の第１筐体部材２１において、ガイド部３２としての第１溝部２１ａ１を取り除いたものに相当する（図１７）。このため、本変形例の第１筐体部材１２１は、第１筐体部材２１に付したものと同じ符号で図示している。
【００７６】
本変形例のフィルタ回路１１０は、実施形態のフィルタ回路１０と同様に少なくとも１つのノイズ低減素子１１を備える一方、そのフィルタ回路１０において、第１回路接続部材１２と第２回路接続部材１３とを各々下記の第１回路接続部材１１２と第２回路接続部材１１３とに置き換えたものである（図１５及び図１６）。よって、このフィルタ回路１１０は、ノイズ低減素子１１としての２つのコンデンサが積層されている。
【００７７】
第１回路接続部材１１２及び第２回路接続部材１１３は、第１回路接続部材１２及び第２回路接続部材１３と同じように、ノイズ低減素子１１を介して互いを電気的に接続させる導電部材であり、金属板を母材にしてプレス成形されている。
【００７８】
第１回路接続部材１１２は、ノイズ低減素子１１の第１素子接続体１１ａに対して物理的且つ電気的に接続される第１素子側接続部１１２ａ１と、第１電線ＷＥ１の中間接続部ＷＥａ１に対して直接的に電気接続される第１電線側接続部１１２ａ２と、を備える（図１５及び図１６）。
【００７９】
この例示の第１回路接続部材１１２には、配列方向に対しての直交平面を有する矩形の平板状の主壁体１１２ａが設けられている（図１５及び図１６）。
【００８０】
その主壁体１１２ａは、ノイズ低減素子１１側の一方の平面に、第１素子側接続部１１２ａ１と絶縁体１１４とを有する（図１５）。絶縁体１１４は、ノイズ低減素子１１の第２素子接続体１１ｂに対する第１回路接続部材１１２の電気的な接続を断つために設ける。この主壁体１１２ａにおいては、軸線方向にて、ノイズ低減素子１１の第１素子接続体１１ａ側に第１素子側接続部１１２ａ１を設け、ノイズ低減素子１１の第２素子接続体１１ｂ側に絶縁体１１４を設ける。その第１素子側接続部１１２ａ１と絶縁体１１４は、互いの平面同士が面一になっている。よって、ノイズ低減素子１１の第１素子接続体１１ａは、絶縁体１１４に邪魔されることなく、第１素子側接続部１１２ａ１に接触することができる。
【００８１】
また、この例示の第１回路接続部材１１２は、主壁体１１２ａの積層方向における両端に２つの矩形の平板状の壁体を有しており、そのそれぞれの壁体を第１電線ＷＥ１の中間接続部ＷＥａ１に巻き付けて加締め圧着させることによって、その中間接続部ＷＥａ１に対して直接的に電気接続させる。この第１回路接続部材１１２においては、そのそれぞれの壁体によって第１電線側接続部１１２ａ２が形成される。つまり、この第１回路接続部材１１２は、第１電線側接続部１１２ａ２を第１電線ＷＥ１の中間接続部ＷＥａ１に予め組み付けて、その中間接続部ＷＥａ１に対して物理的且つ電気的に接続している。
【００８２】
この第１回路接続部材１１２は、筐体１２０に収容されているときに、配列方向でノイズ低減素子１１と第２押圧体２４との間に配置する。この第１回路接続部材１１２は、配列方向で第１素子側接続部１１２ａ１をノイズ低減素子１１の第１素子接続体１１ａに接触させることによって、その相互間を物理的且つ電気的に接続させる。ここで、ノイズ低減素子１１の第１素子接続体１１ａと第１素子側接続部１１２ａ１は、第１回路接続部材１１２と第２回路接続部材１１３との間にノイズ低減素子１１が挟持されているときに物理的且つ電気的に接続されるものとして形成する。
【００８３】
この第１回路接続部材１１２は、第１回路接続部材１２と同じように、ノイズ低減素子１１を軸線方向で挟み込む２つの素子側係止突起１１２ｂを有しており（図１５及び図１６）、ノイズ低減素子１１との間での軸線方向における相対移動が規制される。それぞれの素子側係止突起１１２ｂは、第１電線側接続部１１２ａ２を成す壁体とは逆側に突出させる。絶縁体１１４は、ノイズ低減素子１１の第２素子接続体１１ｂ側に配置される素子側係止突起１１２ｂにまで延在させている。
【００８４】
この第１回路接続部材１１２においては、それぞれの素子側係止突起１１２ｂを第１筐体部材２１の主壁体２１ａ側に突出させ、そのそれぞれの突出部分１１２ｅを被ガイド部３１として各々利用する（図１５）。
【００８５】
第２回路接続部材１１３は、ノイズ低減素子１１の第２素子接続体１１ｂに対して物理的且つ電気的に接続される第２素子側接続部１１３ａ１と、第２電線ＷＥ２の中間接続部ＷＥａ２に対して直接的に電気接続される第２電線側接続部１１３ａ２と、を備える（図１５及び図１６）。
【００８６】
この例示の第２回路接続部材１１３には、配列方向に対しての直交平面を有する矩形の平板状の主壁体１１３ａが設けられている（図１５及び図１６）。
【００８７】
その主壁体１１３ａは、ノイズ低減素子１１側の一方の平面に、第２素子側接続部１１３ａ１と絶縁体１１５とを有する（図１６）。絶縁体１１５は、ノイズ低減素子１１の第１素子接続体１１ａに対する第２回路接続部材１１３の電気的な接続を断つために設ける。この主壁体１１３ａにおいては、軸線方向にて、ノイズ低減素子１１の第２素子接続体１１ｂ側に第１素子側接続部１１３ａ１を設け、ノイズ低減素子１１の第１素子接続体１１ａ側に絶縁体１１５を設ける。その第２素子側接続部１１３ａ１と絶縁体１１５は、互いの平面同士が面一になっている。よって、ノイズ低減素子１１の第２素子接続体１１ｂは、絶縁体１１５に邪魔されることなく、第２素子側接続部１１３ａ１に接触することができる。
【００８８】
また、この例示の第２回路接続部材１１３は、主壁体１１３ａの積層方向における両端に２つの矩形の平板状の壁体を有しており、そのそれぞれの壁体を第２電線ＷＥ２の中間接続部ＷＥａ２に巻き付けて加締め圧着させることによって、その中間接続部ＷＥａ２に対して直接的に電気接続させる。この第２回路接続部材１１３においては、そのそれぞれの壁体によって第２電線側接続部１１３ａ２が形成される。つまり、この第２回路接続部材１１３は、第２電線側接続部１１３ａ２を第２電線ＷＥ２の中間接続部ＷＥａ２に予め組み付けて、その中間接続部ＷＥａ２に対して物理的且つ電気的に接続している。
【００８９】
この第２回路接続部材１１３は、筐体１２０に収容されているときに、配列方向でノイズ低減素子１１と第１押圧体２３との間に配置する。この第２回路接続部材１１３は、配列方向で第２素子側接続部１１３ａ１をノイズ低減素子１１の第２素子接続体１１ｂに接触させることによって、その相互間を物理的且つ電気的に接続させる。ここで、ノイズ低減素子１１の第２素子接続体１１ｂと第２素子側接続部１１３ａ１は、第１回路接続部材１１２と第２回路接続部材１１３との間にノイズ低減素子１１が挟持されているときに物理的且つ電気的に接続されるものとして形成する。
【００９０】
この第２回路接続部材１１３は、第２回路接続部材１３と同じように、ノイズ低減素子１１を軸線方向で挟み込む２つの素子側係止突起１１３ｂを有しており（図１５及び図１６）、ノイズ低減素子１１との間での軸線方向における相対移動が規制される。それぞれの素子側係止突起１１３ｂは、第２電線側接続部１１３ａ２を成す壁体とは逆側に突出させる。絶縁体１１５は、ノイズ低減素子１１の第１素子接続体１１ａ側に配置される素子側係止突起１１３ｂにまで延在させている。
【００９１】
この第２回路接続部材１１３においては、それぞれの素子側係止突起１１３ｂを第１筐体部材２１の主壁体２１ａ側に突出させ、そのそれぞれの突出部分１１３ｅを被ガイド部３１として各々利用する（図１６）。
【００９２】
このノイズフィルタ２においては、第１押圧体２３と第２押圧体２４のそれぞれの押圧力が第２回路接続部材１１３の第２電線側接続部１１３ａ２と第１回路接続部材１１２の第１電線側接続部１１２ａ２とに対して直接的に伝わると、第１回路接続部材１１２と第２回路接続部材１１３からノイズ低減素子１１に対して直接的に配列方向の押圧力が作用する。これに伴い、このノイズフィルタ２においては、第１回路接続部材１１２がガイド機構３０の作用によってノイズ低減素子１１に押し付けられ、かつ、第２回路接続部材１１３がガイド機構３０の作用によってノイズ低減素子１１に押し付けられる。
【００９３】
従って、このノイズフィルタ２においては、第１筐体部材１２１と第２筐体部材２２とが嵌合完了状態のときに、第１回路接続部材１１２の第１素子側接続部１１２ａ１とノイズ低減素子１１の第１素子接続体１１ａとの間を直接的に電気接続させることができるので、その第１素子接続体１１ａに対して第１電線ＷＥ１の中間接続部ＷＥａ１を間接的に電気接続させることができる。更に、このノイズフィルタ２においては、第１筐体部材１２１と第２筐体部材２２とが嵌合完了状態のときに、第２回路接続部材１１３の第１素子側接続部１１３ａ１とノイズ低減素子１１の第２素子接続体１１ｂとの間を直接的に電気接続させることができるので、その第２素子接続体１１ｂに対して第２電線ＷＥ２の中間接続部ＷＥａ２を間接的に電気接続させることができる。
【００９４】
更に、このノイズフィルタ２においては、ガイド機構３０によって、第１筐体部材１２１と第２筐体部材２２とが嵌合完了状態のときに、第１回路接続部材１１２の２つの素子側係止突起１１２ｂがノイズ低減素子１１を軸線方向で挟み込むことができる。また、このノイズフィルタ２においては、ガイド機構３０によって、第１筐体部材１２１と第２筐体部材２２とが嵌合完了状態のときに、第２回路接続部材１１３の２つの素子側係止突起１１３ｂがノイズ低減素子１１を軸線方向で挟み込むことができる。従って、このノイズフィルタ２は、ノイズ低減素子１１と第１回路接続部材１１２との間及びノイズ低減素子１１と第２回路接続部材１１３との間の相対的な位置ずれを抑えることができるので、これらの間の通電状態を保ち続けることができる。尚、このノイズフィルタ２においては、図示しないが、第１回路接続部材１１２に第１回路接続部材１２の２つの第２素子側係止突起１２ｃと同様のものを設け、かつ、第２回路接続部材１１３に第２回路接続部材１３の２つの第２素子側係止突起１３ｃと同様のものを設けてもよい。
【００９５】
以上示した本変形例のノイズフィルタ２は、実施形態のノイズフィルタ１と同様の効果を得ることができる。更に、本変形例のノイズフィルタ２は、第１回路接続部材１１２を第１電線ＷＥ１の中間接続部ＷＥａ１に予め組み付け、かつ、第２回路接続部材１１３を第２電線ＷＥ２の中間接続部ＷＥａ２に予め組み付けているので、実施形態のノイズフィルタ１と比較して、フィルタ組付け作業の作業性を向上させることができると共に、配列方向の体格の小型化を図ることができる。また、本変形例のワイヤハーネスＷＨは、そのようなノイズフィルタ２を具備するものであり、このノイズフィルタ２が得られる効果を奏することができる。
【符号の説明】
【００９６】
１，２  ノイズフィルタ
１０，１１０  フィルタ回路
１１  ノイズ低減素子
１１ａ  第１素子接続体（第１接続部）
１１ｂ  第２素子接続体（第２接続部）
１２  第１回路接続部材
１２ａ１  第１素子側接続部
１２ａ２  第１電線側接続部
１２ｂ  第１素子側係止突起（素子側係止突起）
１２ｄ  電線側係止突起
１３  第２回路接続部材
１３ａ１  第２素子側接続部
１３ａ２  第２電線側接続部
１３ｂ  第１素子側係止突起（素子側係止突起）
１３ｄ  電線側係止突起
１６  第１電線接続部材
１７  第２電線接続部材
２０，１２０  筐体
２０ａ  収容室
２１，１２１  第１筐体部材
２２  第２筐体部材
２３  第１押圧体
２４  第２押圧体
１１２  第１回路接続部材
１１２ａ１  第１素子側接続部
１１２ａ２  第１電線側接続部
１１２ｂ  素子側係止突起
１１３  第２回路接続部材
１１３ａ１  第２素子側接続部
１１３ａ２  第２電線側接続部
１１３ｂ  素子側係止突起
ＷＥ１  第１電線
ＷＥａ１  中間接続部
ＷＥ２  第２電線
ＷＥａ２  中間接続部
ＷＥａ  芯線
ＷＨ  ワイヤハーネス
ＷＴ  幹線
【図１】
2020048075.tif 000003
【図２】
2020048075.tif 000004
【図３】
2020048075.tif 000005
【図４】
2020048075.tif 000006
【図５】
2020048075.tif 000007
【図６】
2020048075.tif 000008
【図７】
2020048075.tif 000009
【図８】
2020048075.tif 000010
【図９】
2020048075.tif 000011
【図１０】
2020048075.tif 000012
【図１１】
2020048075.tif 000013
【図１２】
2020048075.tif 000014
【図１３】
2020048075.tif 000015
【図１４】
2020048075.tif 000016
【図１５】
2020048075.tif 000017
【図１６】
2020048075.tif 000018
【図１７】
2020048075.tif 000019